(57)【要約】【課題】折板や瓦棒の金属製屋根上で塗装等の作業を容易にかつ効率的に行い得る屋根用作業装置を提供する。【解決手段】金属性屋根を形成する折板又は瓦棒の山間隔の整数倍よりもやや大きい幅の２本の平行なそり部材と、前記そり部材を平行に支持する少なくとも２本の支持部材とで構成し、前記そり部材及び支持部材をいずれも丸棒とし、前記そり部材の前後端部を上方に湾曲した構造とする。【選択図】図１
2009041248.tif 000002
【特許請求の範囲】
【請求項１】
金属性屋根を形成する折板又は瓦棒の山間隔の整数倍よりもやや大きい幅の２本の平行なそり部材と、前記そり部材を平行に支持する少なくとも２本の支持部材とで構成され、前記そり部材及び支持部材がいずれも丸棒で成り、前記そり部材の前後端部が上方に湾曲していることを特徴とする屋根用作業装置。
【請求項２】
前記支持部材の上面に板材若しくは合成樹脂材或いはネット材が張設されている請求項１に記載の屋根用作業装置。
【請求項３】
前記支持部材の下面位置が前記そり部材の下面位置より少し上になっている請求項１又は２に記載の屋根用作業装置。
【請求項４】
前記そり部材が塩ビで形成されている請求項１乃至３のいずれかに記載の屋根用作業装置。
【発明の詳細な説明】
【技術分野】
【０００１】
本発明は、家屋やビル等の金属製屋根上の作業に好適な屋根用作業装置に関するものであり、特に折板構造若しくは瓦棒構造の金属製屋根上でシートの被設や塗装等の作業を行うのに好適な屋根用作業装置に関するものである。
【背景技術】
【０００２】
従来家屋やビル或いは工場や倉庫等の建築物の屋根として、構造が簡易で安価な折板若しくは瓦棒構造の金属製屋根が広く普及しており、このような金属製屋根の上で作業をする場合も多い。金属製屋根は直射日光の影響を受け易く、建築物内の温度上昇が著しい。
【０００３】
図８は一般的な金属製折板屋根の建築物の一例を示しており、家屋１の上部に金属製屋根２が両側に傾斜して配置されている。そして、金属製屋根２には複数条の折板３が縦状に整列して敷設されている。このような金属製屋根２は直射日光を受け、その熱が家屋内に伝導されるため、建物内の温度上昇が著しい
かかる温度上昇を抑制若しくは減少させるため、金属製屋根２に遮熱のための塗料を塗ったり、シートを被設したりすることも多い。
【特許文献１】特開平５−１６３７９０号公報
【特許文献２】特開平６−２８０３５１号公報
【特許文献３】特開２００２−３１７４１８号公報
【発明の開示】
【発明が解決しようとする課題】
【０００４】
ところで、金属製屋根に遮熱のための塗料を塗る場合には、屋根上に塗料や刷毛等を載せ、それらを移動しながら作業を行う。また、金属製屋根に遮熱シートを被設して温度上昇を防止する場合にも、屋根上にシートや被設のための留め具等を載せ、それらを移動しながら作業を行う。
【０００５】
しかしながら、折板や瓦棒の金属製屋根上の移動は容易でなく、しかも塗装等の作業を行う場合は特に安全性にも気を使う必要がある。更に、塗装やシート被設のための作業道具等を屋根上で運搬することは容易でなく、作業のスピードと効率を低下させる要因になっている。そのため、折板や瓦棒の金属製屋根上での作業を容易にかつ効率的に行い得る装置の出現が望まれている。
【０００６】
屋根上での作業は塗装やシート張りだけではなく、屋根の修理や保守等も行う場合があり、このような場合でも、その作業のための工具等を屋根上で容易にかつ効率的に運搬し得る装置が必要である。
【０００７】
本発明は上述のような事情よりなされたものであり、本発明の目的は、折板や瓦棒の金属製屋根上で塗装等の作業を容易にかつ効率的に行い得る屋根用作業装置を提供することにある。
【課題を解決するための手段】
【０００８】
本発明は屋根用作業装置に関し、本発明の上記目的は、金属性屋根を形成する折板又は瓦棒の山間隔の整数倍よりもやや大きい幅の２本の平行なそり部材と、前記そり部材を平行に支持する少なくとも２本の支持部材とで構成し、前記そり部材及び支持部材をいずれも丸棒とし、前記そり部材の前後端部を上方に湾曲することにより達成される。
【０００９】
また、本発明の上記目的は、前記支持部材の上面に板材若しくは合成樹脂材或いはネット材を張設することにより、或いは前記支持部材の下面位置が前記そり部材の下面位置より少し上になっていることにより、或いは前記そり部材が塩ビで形成されていることにより、より効果的に達成される。
【発明の効果】
【００１０】
本発明の屋根用作業装置は、金属性屋根の折板又は瓦棒に対応した構造になっていると共に、前後左右に移動し易い構造になっているので、屋根上での作業に好適である。
【００１１】
また、屋根用作業装置の材質が折板や瓦棒よりも軟質となっているので、屋根を損傷することはない。
【発明を実施するための最良の形態】
【００１２】
本発明では、金属性屋根を形成する折板又は瓦棒の山間隔の整数倍（×１倍、×２倍、×３倍、・・・）よりもやや大きい幅（約１０〜１００ｍｍの余裕）の２本の平行なそり部材と、２本のそり部材を平行に支持して固定する少なくとも２本の支持部材とで屋根用作業装置を構成し、必要に応じて支持部材の上面に板材若しくは合成樹脂材或いはネット材を張設し、そり部材及び支持部材をいずれも丸棒（パイプを含む）とすると共に、そり部材の前後端部を上方に湾曲した構造にしている。
【００１３】
このような構造にすることにより、折板又は瓦棒の金属性屋根上を作業のために円滑に、しかも作業道具等を携帯して移動することができる。また、２本の平行なそり部材の間隔が、折板又は瓦棒の山間隔の整数倍よりもやや大きい値になっていると共に、丸棒若しくは少なくとも断面下半分が丸みを帯びた形状で構成されているため、屋根用作業装置を屋根上で前後左右に円滑に移動することができる。
【００１４】
以下に、本発明の実施の形態を、図面を参照して説明する。
【００１５】
図１は本発明に係る屋根用作業装置１０の一例を示しており、折板又は瓦棒の山間隔の整数倍よりもやや大きい幅の２本の平行なそり部材１１及び１２と、そり部材１１及び１２を平行に支持する４本の支持部材１３Ａ〜１３Ｄとで構成され、支持部材１３Ａ〜１３Ｄの上面に３枚の板材１４Ａ〜１４Ｃがビス等で支持部材１３Ａ〜１３Ｄに固定されて設置され、板材１３Ａ及び１３Ｃの前部には運搬用のロープ１５が取り付けられている。そして、そり部材１１，１２及び支持部材１３Ａ〜１３Ｄはいずれも塩ビの丸棒（内部が空洞のパイプも含む）で成っており、そり部材１１及び１２の前端部及び後端部はそれぞれ上方に湾曲若しくは丸みを帯びた形状になっている。
【００１６】
なお、本例では支持部材（１３Ａ〜１３Ｄ）を４本で構成しているが、少なくとも２本以上であれば良く、２本のそり部材１１及び１２を固定できればその数は任意である。また、運搬用のロープ１５は必要に応じて後部に取り付けても良く、後方に引っ張るようにしても良い。更に、１本のロープ１５を、前又は後に脱着可能な取り付け構造としても良い。
【００１７】
図２は屋根用作業装置１０の側面図であり、この図２からも明らかなように、そり部材１１及び１２の前方端部及び後方端部が緩やかに上方に湾曲している。このため、そり部材１１及び１２が前後に動く際、屋根の折板等に引っ掛かることもなく、屋根上を円滑に移動できるようになっている。屋根上の作業は一方向だけではなく、前後左右に移動するため、屋根用作業装置１０は前後に円滑に移動できる構造が必要である。
【００１８】
また、図１のＸ−Ｘの断面構造は図３に示すようになっており、そり部材１１及び１２の底面位置よりも支持部材１３Ｃの底面位置が上になるように支持されており、支持部材１３Ｃ（１３Ａ，１３Ｂ，１３Ｄ）の上面に板材１４Ａ〜１４Ｃが張設されている。支持部材１３Ｃの底面位置がそり部材１１及び１２の底面位置よりも上になっているので、屋根用作業装置１０を折板に適度に係合させることができ、折板からずれることもない。
【００１９】
図４は折板２０（２１〜２５）の各間隔ｄとそり部材１１及び１２の間隔Ｌの関係を示しており、本発明の屋根用作業装置１０のそり部材１１及び１２の間隔は折板２０の間隔ｄの整数倍よりもやや大きい値とする。即ち、折板２山用の屋根用作業装置では、そり部材１１及び１２の間隔Ｌ１を折板山間隔ｄ（整数１倍）よりもやや大きくし、折板３山用の屋根用作業装置では、そり部材１１及び１２Ａの間隔Ｌ２を折板山間隔２ｄ（整数２倍）よりもやや大きくし、折板４山用の屋根用作業装置では、そり部材１１及び１２Ｂの間隔Ｌ３を折板山間隔３ｄ（整数３倍）よりもやや大きくする。例えば山間隔５００ｍｍ折板２山用の場合には、山端部外側の距離が約５５０ｍｍであり、そり部材１１及び１２の間隔は約５６０〜７００ｍｍが適当である。また、山間隔３００ｍｍ折板３山用の場合には、山端部外側の距離が約６５０ｍｍであり、そり部材１１及び１２の間隔は約７００〜７５０ｍｍが適当である。
【００２０】
このような構造において、図５に示すように金属製屋根３０の折板３１に係合させて屋根上に設置する。この場合、本例ではそり部材１１及び１２の間隔が隣接した折板の山間隔の整数１倍となっているので、Ｙ−Ｙ断面は図６に示すようになっている。即ち、隣接した２山の折板上に屋根用作業装置１０の支持部材１３Ｃ（１３Ａ，１３Ｂ，１３Ｄ）が当接すると共に、そり部材１１及び１２の内側面が折板３１の外側面に当接するので、屋根用作業装置１０は折板３１から脱出することはなく、折板３１に沿って円滑に移動することができる。
【００２１】
屋根用作業装置１０の移動は、ロープ１５を引っ張って行う。また、屋根用作業装置１０の板材１４Ａ〜１４Ｃの上に、図７に示すように作業工具箱４０及び４１を固定部材４２及び４３で固定して、屋根上を移動する。
【００２２】
なお、そり部材及び支持部材は塩ビの合成樹脂が望ましいが、屋根を損傷しないように折板や瓦棒よりも柔らかい材質で強固なものであれば良い。例えば、木材、ポリカーボネイトを用いても良い。また、上記例ではそり部材及び支持部材をパイプ管の丸棒としているが、空洞ではない丸棒であっても良い。更に、断面が円でも楕円でも良いし、下半分が丸みを帯びていれば、上半分は丸みを帯びていなくても良く、平面であっても良い。
【００２３】
以上の説明は本発明の一実施形態を示したものであり、同一の作用効果が達成される単なる設計の変更や常套手段による変形は、本発明の実施態様に含まれるものである。
【図面の簡単な説明】
【００２４】
【図１】本発明に係る屋根用作業装置の一例を示す斜視図である。
【図２】本発明に係る屋根用作業装置の一例を示す側面図である。
【図３】図１のＸ−Ｘの断面構造図である。
【図４】折板の山間隔とそり部材の間隔の関係を示す図である。
【図５】本発明に係る屋根用作業装置を金属製折板屋根に設置した状態を示す平面図である。
【図６】図５のＹ−Ｙの断面構造図である。
【図７】屋根用作業装置に作業具を載置した例を示す図である。
【図８】一般的な金属製折板屋根の建築物の一例を示す概略外観図である。
【符号の説明】
【００２５】
１                家屋
２                金属性屋根
３                折板
１０              屋根用作業装置
１１、１２        そり部材
１３Ａ〜１３Ｄ    支持部材
１４Ａ〜１４Ｃ    板材
１５              ロープ
２０〜２５        折板
３０              金属製屋根
３１              折板
【図１】
2009041248.tif 000003
【図２】
2009041248.tif 000004
【図３】
2009041248.tif 000005
【図４】
2009041248.tif 000006
【図５】
2009041248.tif 000007
【図６】
2009041248.tif 000008
【図７】
2009041248.tif 000009
【図８】
2009041248.tif 000010